(57)【要約】      （修正有）【課題】雑草等の生育を抑え、草刈等の維持管理費の軽減や無土壌面に植栽できる薄型植栽マット体を提供する。【解決手段】雑草抑止シート２と不織布３を重ね底部を形成し、その底部上に基盤用土４（ココピーノ、ピートモス水苔、炭、バーク堆肥、有機肥料、遅効性肥料、化成肥料の混合緑化材）を２ｃｍ〜５ｃｍ厚に敷き詰め、不織布３・保水紙シート５・ネット状シート６の順に重ね上部を形成し、底部と上部が一体化するように縦横所定間隔に縫製した。【選択図】図２
0003116273.tif 000002
【実用新案登録請求の範囲】
【請求項１】
雑草抑止シートの上に不織布を重ね底部とし、その上に基盤用土を２ｃｍ〜５ｃｍ厚で敷き詰め、その上に不織布・保水紙シート・ネット状シートの順に重ね上部を形成し、底部と上部が一体化するように縦横所定間隔に縫製成形し、基盤用土の移動や流出を防止し
、雑草等の発芽を抑えることを特徴とした土壌面用の薄型植栽マット体。
【請求項２】
ネット状シート、防水シート、不織布の順に重ね底部とし、その上に基盤用土を２ｃｍ〜５ｃｍ厚で敷き詰め、その上に不織布・保水紙シート・ネット状シートの順に重ね上部を形成し、底部と上部が一体化するように縦横所定間隔に縫製成形し、基盤用土の移動や流出を防止し接地面との遮水性を持ったことを特徴とした無土壌面用の薄型植栽マット体
。
【考案の詳細な説明】
【技術分野】
【０００１】
本考案は、道路斜面、中央分離帯、緑地帯等の土壌面に繁茂している雑草木等の生育を抑え、また建物の屋根、屋上、壁面やコンクリート法面等の無土壌面に地域にあった低木や草花を植栽できる植栽マット体に関するものである。
【背景技術】
【０００２】
多くの道路斜面や中央分離帯等は、草丈の高い洋芝・張芝・低木植栽が主体に緑化されているが、時間の経過にともない植物の成長とともに雑草木が繁茂するため、景観上美観に欠け、あるいは交差点等では洋芝や雑草木により見通しが効かず交通障害となることやタバコの投げ捨てによる枯れ草の火災を予防するため、毎年１〜２回の除草作業が行われている。
【０００３】
そこで近年は、道路交差点付近の中央分離帯等に短草植物を植栽するケースが多く見ら
れるが、雑草処理や用土の吟味をしっかりしないとせっかく短草植物を移植しても雑草木が再度生育繁茂してしまい無駄になるケースが多いのが現状であった。また従来の植生マットは、草丈の長い洋芝が主体の種子を発芽生育させるためのもので、雑草木発生の予防対策は一切ない緑化製品である。
【０００４】
また、景観上問題があるモルタル・コンクリート法面、コンクリート擁壁や重量制限がある屋根、屋上等の無土壌面に簡単に植栽緑化できる緑化製品がない。
【特許文献１】特開２００２−１２１７３９号公報
【考案の開示】
【考案が解決しようとする課題】
【０００５】
このような現実を踏まえ、雑草種の混入が疑わしい一般用土を使用せず、保水力・排水力・保肥力等が優れた軽量緑化材を主とした基盤用土と雑草木等の生育を抑える雑草抑止シート又はコンクリート面からの植栽マット体内の水分吸引防止にすぐれた防水シートを兼ね備えた薄型植栽マット体により雑草等の生育を抑え、草刈等の維持管理費の軽減や無土壌面に植栽できる薄型植栽マット体を提供しようとするものである。
【課題を解決するための手段】
【０００６】
第１考案は、耐薬品性があり微生物による腐蝕がないポリエステル１００％の雑草抑止シート、同じくポリエステル１００％の不織布を重ね底部を形成し、その底部上に保水力
・保肥力等に優れた基盤用土（ココピート５０％、水苔２０％、ピートモス１０％、炭１０％、バーク堆肥１０％の用土に有機肥料、遅効性肥料、化成肥料を混合した基盤用土）を２ｃｍ〜５ｃｍ厚で敷き詰め、その上にポリエステル１００％の不織布と保水紙シート
、ポリエチレンのネット状シートの順に重ね上部を形成し、基盤用土のマット体内移動及びマット体外への流出の防止に底部と上部が一体化するように縦横所定間隔に縫製成形した腐蝕しにくい植生マット体で透水性、貫根性、遮芽性のある雑草抑止シートが雑草木の発芽を抑えることを特徴とする土壌面用の薄型植栽マット体。
【０００７】
第２考案は、上記第１考案の薄型植生マット体の雑草抑止シートを排除し、替わりに耐水性の強いポリフイルムの防水シートを底部とした遮水性・保水性を持ったことが特徴の無土壌面用の薄型植栽マット体。
【考案の効果】
【０００８】
第１考案の雑草抑止シートを付帯している土壌面用薄型植生マット体は、基盤用土の吸水保水力が強く地面からの蒸散水及び雨水を十分保持し、植栽植物への水管理が大幅に削減できる。また低木とセダムを植栽すると、低木の根は薄型植生マット体を突き抜け地盤に活着生育し、セダムはマット体に活着・生育・ランナーし、マット体表面を一面覆い景観的に最適な緑地帯となり雑草抑止シートが雑草木等の発芽を抑えた。なおセダムは土壌水分の消費が非常に少ないので、植栽木は自然水の供給だけで十分生育が可能で、タバコのポイ捨てがあっても引火することなく草刈等の維持管理費も削減できる土壌面用薄型植栽マット体である。
【０００９】
第２考案の屋上等の無土壌面に設置される防水シートを付帯している薄型植栽マット体は、基本の大きさが０．５ｍ２〜１ｍ２とコンパクトで軽量であるため、増改築時の移動・設置が容易、またコンクリート面からマット内の水分を吸引されることがないので、植栽した植物はマット体内の水分と自然水の供給だけで十分生育が可能であり、室内の温度上昇を和らげ、景観向上や安らぎの場としてのスペースを与えてくれる無土壌面用薄型植栽マット体である。
【００１０】
また、土壌面用薄型植栽マット体と無土壌面用薄型植栽マット体はいずれも腐植しにくい材質で保水力が高い基盤土を内包し、縦横所定間隔に縫製成形してあるため、基盤土の移動や流出がなく、構築物を汚すこともなく、永年原形を保ち洪水防止や植栽木等により温暖化原因の二酸化炭素の削減にも貢献できる薄型植栽マット体である。
【考案を実施するための最良の形態】
【００１１】
本考案に係る薄型植栽マット体は、雑草抑止シート及び防水シートを用いた２種類の薄型植栽マット体からなる。
【００１２】
図１に示す薄型植栽マット体１には２種類あり、１種類目は、土壌面用の薄型植栽マット体で、その構造断面は図２のＡに示すとおりである。雑草抑止シート２と不織布３を重ね底部を形成し、その底部上に基盤用土４（ココピート、ピートモス、水苔、炭、バーク堆肥、有機肥料、遅効性肥料、化成肥料の混合緑化材）を２ｃｍ〜５ｃｍ厚に敷き詰め、不織布３・保水紙シート５・ネット状シート６の順に重ね上部を形成し、底部と上部が一体化するように縦横所定間隔に縫製したものである。なお、雑草抑止シート２は、下からの雑草等の発芽を抑え、上からの植物根は通す特徴を持っているので雑草等の生育を抑え、薄型植生マット体表面に植栽した低木の根は、やがてマット内の基盤用土、雑草抑止シートを突き抜け地盤に根を伸ばし活着する。
【００１３】
２種類目は、無土壌面用の薄型植栽マット体でその構造断面は、図２のＢに示すとおりである。ネット状シート６・防水シート２ａ・不織布３の順に重ね底部を形成し、その底部上に基盤用土４（ココピート、ピートモス、水苔、炭、バーク堆肥、有機肥料、遅効性肥料、化成肥料の混合緑化材）を２ｃｍ〜５ｃｍ厚に敷き詰め不織布３・保水紙シート５・ネット状シート６の順に重ね上部を形成し、底部と上部が一体化するように縦横所定間隔に縫製したものである。
【００１４】
図３は、一実施例として低木とセダムの混植による薄型植栽マット体への植栽した完成図である。
【産業上の利用可能性】
【００１５】
薄型植栽マット体は雑草木の生育を抑え、地域景観にあった低木とセダムとを混植し、雑草木等による交通視野の障害をなくし、火災予防等の草刈経費も削減し、景観的防災緑化を提供できるこれからの緑化工事に、また無土壌面の屋上、屋根、擁壁等のコンクリート面の景観的向上や冷房費の節減、癒しの場の提供等として軽量で簡単に設置が可能な構築物用緑化工事としても利用される可能性の高いものである。
【図面の簡単な説明】
【００１６】
【図１】薄型植栽マット体を示す斜視図である。
【図２】当該薄型植栽マット体の構造を示す説明図である。
【図３】本考案に係る薄型植栽マット体への植栽一実施例の完成斜視図である。
【符号の説明】
【００１７】
１    薄型植栽マット体
２    雑草抑止シート
２ａ  防水シート
３    不織布
４    基盤用土
５    保水紙シート
６    ネット状シート
７    低木
８    セダム
【図１】
0003116273.tif 000003
【図２】
0003116273.tif 000004
【図３】
0003116273.tif 000005